(57)【要約】      （修正有）【課題】構成部材が比較的少なく、容易に組み替えが可能な組立式迷路を提供する。【解決手段】複数の迷路ユニット１により一つの迷路２が構成されており、各迷路ユニットは、四本のフレーム１０および四つの連結部材１１により構成されている。フレームは、円形の管体であり、連結部材は、多面体であり、多面体の各壁面には一つの接続穴が形成されており、フレームの端部が多面体の接続穴と接続される。【選択図】図６
0003209656.tif 000002
【実用新案登録請求の範囲】
【請求項１】
複数の迷路ユニットにより一つの迷路が構成されており、
各前記迷路ユニットは、四本のフレームおよび四つの連結部材により構成されており、
前記フレームは、円形の管体であり、
前記連結部材は、多面体であり、前記多面体の各壁面には一つの接続穴が形成されており、
前記フレームは、端部が前記多面体の前記接続穴と接続されることを特徴とする組立式迷路。
【請求項２】
複数の迷路ユニットにより一つの迷路が構成されており、
各前記迷路ユニットは、四本のフレームおよび四つの連結部材により構成されており、
前記フレームは、円形の管体であり、
前記連結部材は、球体であり、前記球体には、複数の接続穴が形成されており、
前記フレームは、端部が前記球体の接続穴と接続されることを特徴とする組立式迷路。
【請求項３】
二つの前記迷路ユニットを連結し、連結された二つの前記迷路ユニットの間は、同一の前記フレームおよび二つの前記連結部材が使用されることを特徴とする前記請求項１または請求項２に記載の組立式迷路。
【考案の詳細な説明】
【技術分野】
【０００１】
本考案は、組立式迷路に関し、特にフレームおよび連結部材により迷路ユニットが構成され、便利かつ迅速に取り外すことができるだけでなく、組み替えることによって、異なる迷路の通路を構成することのできる組立式迷路に関する。
【背景技術】
【０００２】
一般的に戸外に設置されている娯楽または学習に用いられる迷路の建物の多くは、複数の仕切り板および複数の固定用連結部材により構成される。その固定用連結部材の大半は、ねじまたは釘で構成されているため、組み立てられた迷路の通路は固定されているので、任意に変更することができない。通路の変わらない迷路は、何回かプレイされると通路が覚えられ、ゲームの楽しさおよびチャレンジ性がなくなってしまう。そのため、人々の興味を引き起こすことができなくなり、廃墟のような建物になってしまう。
【０００３】
従って、定期的に通路を変更することによって、迷路の新鮮さを保つ必要がある。しかしながら、迷路ユニットを分解してから組み立て直すことは、極めて手間がかかる。また、迷路を分解する際、仕切り板は損壊しやすく、再利用ができなくなって廃棄物になるため、材料の浪費および環境の汚染をもたらす。さらに、固定された迷路ユニットは体積が非常に大きいため、搬送が難しく、輸送の際に空間をかなり占有する。また、一般的に迷路に用いられる仕切り板は、組み立てられた後、密閉されているため、外部により内部でゲームをプレイする人の動きを観察することはできない。もし子供が内部でゲームをプレイする場合、大人は外部から子供の居場所を確認できない。子供も大人が見えないので、驚き慌てて泣き騒ぎ、危険な事態が起きやすい。
【０００４】
本考案者による特許文献１の「組立式迷路」では、主に複数の迷路ユニットによって一つの迷路が構成され、各迷路ユニットは、四本のフレーム、一本の補強支持フレームおよび複数の固定部材から構成される。該迷路の組み立て構造は、工具を使用する必要なく着脱を容易に行うことが可能であり、どの場所においても適用することができる。並べに、容易に組み替えることができ、異なる通路を構成することによってゲームを変化させ、学習および娯楽効果を確実に達成し、使用上の安全性を向上させる。
【先行技術文献】
【特許文献】
【０００５】
【特許文献１】特許第５３４６３６１号
【考案の概要】
【考案が解決しようとする課題】
【０００６】
しかしながら本考案者による従来の考案における組立式迷路は、必要とする構成部材が比較的多く、製造コストも高いため、全体の構成は改善する余地がある。
本考案は上述の問題に鑑みてなされたものであり、その目的は、従来の組立式迷路の生産、製造、組み立ておよび搬送における問題点を有効に解決することのできる組立式迷路を提供することにある。
【課題を解決するための手段】
【０００７】
本考案の組立式迷路は、複数の迷路ユニットにより一つの迷路が構成される。その特徴として、各迷路ユニットは四本のフレームおよび四つの連結部材からなる。フレームは、円形の管体であり、連結部材は多面体である。多面体の各壁面には接続穴が形成されている。フレームは、端部が多面体の接続穴と接続される。
【０００８】
本考案における組立式迷路は、複数の迷路ユニットにより一つの迷路が構成される。その特徴として、各迷路ユニットは、四本のフレームおよび四つの連結部材からなる。フレームは円形の管体であり、連結部材は球体である。球体には複数の接続穴が形成される。フレームは、端部が球体の接続穴と接続される。
【０００９】
本発明における組立式迷路は、二つの迷路ユニットが連結されており、迷路ユニットと迷路ユニットとの間は同一のフレームおよび二つの連結部材が使用されることにより、組み立ての構成部材がさらに簡潔になる。
【００１０】
本考案における組立式迷路は、フレームおよび連結部材が相互に差し込むことにより接続されているため、全体の構造がきわめて簡潔であり、製造コストが大幅に削減されており、着脱および搬送がさらに便利かつ迅速になるメリットがある。
【図面の簡単な説明】
【００１１】
【図１】本考案における実施形態による迷路ユニットの分解斜視図である。
【図２】本考案における実施形態による単一のフレームおよび単一の連結部材の分解斜視図である。
【図３】本考案における実施形態によるフレームおよび連結部材を組み立てた状態を示す断面図である。
【図４】本考案における実施形態による一つの迷路ユニットの立体組み合わせ図である。
【図５】本考案における実施形態による迷路ユニットと迷路ユニットとを相互に組み合わせた状態を示す図である。
【図６】本考案における実施形態により構成される迷路を示す斜視図である。
【図７】本考案における実施形態により構成される迷路を示す平面図である。
【考案を実施するための形態】
【００１２】
上述の使用目的および効果に達成するために、採用する技術手段について、好ましい実施形態を挙げ、図面に合わせて説明する。
【００１３】
本考案の実施形態は、図１、図２、図３に示すように、主に複数の迷路ユニット１によって、一つの迷路が構成される。各迷路ユニット１は、四本のフレーム１０および四つの連結部材１１により構成される。フレーム１０は円形の管体である。連結部材１１は、多面体または球体であり、好ましくは直方体である。連結部材１１は、各壁面に一つの接続穴１１０が形成される。フレーム１０は、端部が連結部材１１の接続穴１１０と接続する。このように、一つの迷路が組み立てられる。
【００１４】
組み立てるとき、図１〜図５に示すように、二つの連結部材１１をそれぞれ一つのフレーム１０の二つの端部に組み付けることによって、フレーム１０の二つの端部がそれぞれ二つの連結部材１１における一つの接続穴１１０内に挿設されている。フレーム１０と接続穴１１０とのはめあいを締まりばめとすることで、フレーム１０を連結部材１１の接続穴１１０内に安定的に設置することができ、下側フレーム縁部を形成する。次いで、別の二つのフレーム１０の一端をそれぞれ上述の下側フレーム縁部の両端の二つの連結部材１１の上部に位置する接続穴１１０内に挿設する。二本のフレーム１０と下側フレーム縁部とが垂直状態になるよう、設置する。
【００１５】
また、垂直に設置した二本のフレーム１０の上端にそれぞれ連結部材１１を接続し、左側フレーム縁部および右側フレーム縁部を形成した後に、左側フレーム縁部および右側フレーム縁部の上端における連結部材１１の間に別の一本のフレーム１０を接続し、上側フレーム縁部を形成する。上、下、左、右側のフレーム縁部のフレーム１０と連結部材１１との組み立て方法は、上述の下側フレーム縁部の組み立て方法と同様で、いずれもフレーム１０の端部を連結部材１１の接続穴１１０内に挿設する方法である。
【００１６】
このように、四本のフレーム１０および四つの連結部材１１によって、安定的に一つの迷路ユニットが組み立てられる（図４に示すように）。複数の迷路ユニットを接合する場合は、組み立てられている一つの迷路ユニット１の四つの連結部材１１を外方向へ延伸して挿入かつ接続し、別の二本のフレーム１０をそれぞれ迷路ユニット１の一方側の上、下部に位置する連結部材１１に挿入かつ接続する。上述のフレーム１０と連結部材１１との組み立て方法により、もう一つの迷路ユニット１と一つの迷路ユニット１とを接続する。または、もう一つの迷路ユニット１を一つの迷路ユニット１の上方（図５に示すように）に組み立てる。このように、一つの迷路ユニット１を外方向へ無限に延伸して複数の迷路ユニット１が組み立てられる。このように、便利かつ迅速に複数の迷路ユニット１が組み立てられ、一つの迷路が構成される。
【００１７】
使用する際は、図６、図７に示すように、上述の方法により組み立てられた複数のグループの迷路ユニット１を設計された迷路通路に基づき組み立てることにより、迷路２を構成する。本考案は、どの地形および場所においても便利に組み立てることができる。並びに、必要に応じて任意に異なる通路の迷路２を構成することができる。よって、ゲームをさらに多様に変化させ、迷路ゲームの新鮮さを保つことができるため、確実に学習および娯楽の効果を達成することができる。
【００１８】
また、本考案における迷路２は、通路変更または場所移動の際に、迷路の取り外しが必要となる場合、フレーム１０を連結部材１１の接続穴１１０内から引き抜くだけで、フレーム１０と連結部材１１とを分解することができる。本考案は、フレームを着脱する際、工具の必要がない上、簡単かつ迅速に着脱することができる。また、迷路ユニットは、取り外した後に、全体の体積が小さく、比較的場所を取らないため、輸送に便利であり、運送コストも削減することができる。
【００１９】
並びに、迷路ユニット１は、単にフレーム１０および連結部材１１により構成されているため、全体の構成は極めて簡単である。よって製造コストを大幅に削減することができる。さらに、本考案における迷路ユニット１は、組み立てた後、中空状になっているため、迷路２の外部から内部のプレイヤーの動きを直接観察することができる。内部のプレイヤーが子供である場合、大人は外部から子供の居場所を明確に確認することができ、子供の動きを把握することができるので、使用上の安全性が極めて高い。
【００２０】
上述したことにより、本考案は所期の目的および効果を達成できるだけでなく、従来のものより理想的で実用性も高い。但し、上記の実施形態は、本考案の好ましい実施形態について具体的に説明するものであり、これによって本考案の実用新案登録請求の範囲を制限するものではない。その他本考案に記載の技術手段を逸脱しない方法によって行われる本考案の均等の変化および修飾は、いずれも本考案の実用新案登録請求の範囲に属するものとする。
【符号の説明】
【００２１】
１  迷路ユニット
１０  フレーム
１１  連結部材
１１０  接続穴
２  迷路
【図１】
0003209656.tif 000003
【図２】
0003209656.tif 000004
【図３】
0003209656.tif 000005
【図４】
0003209656.tif 000006
【図５】
0003209656.tif 000007
【図６】
0003209656.tif 000008
【図７】
0003209656.tif 000009